(57)【要約】      （修正有）【課題】将来の拡幅の改良道路に対しても既設中間保護構造物と連結して保護構造物の完成断面を構築することができる保護構造物を提供する。【解決手段】谷側Ｔが傾斜面103をなす被保護物たる道路101の山側Ｙに設けられた山側支持体３と、この山側支持体３により支持され道路101の少なくとも一部を覆う山側屋根４とを有する山側Ｙの保護構造物たる中間保護構造物２において、中間保護構造物２は、谷側部分の増設を行っても、該中間保護構造物２を補強するための追加工事が不要な強度構造を備えるから、中間保護構造物２は、保護構造物１が完成した状態で、必要な部材強度を予め備える。【選択図】図１
2008095496.tif 000002
【特許請求の範囲】
【請求項１】
谷側が傾斜面をなす道路の山側に設けられた山側支持体と、この山側支持体により支持され前記道路の少なくとも一部を覆う片持ち梁状の山側屋根とを有する山側の保護構造物において、
前記山側の保護構造物は、谷側部分の増設を行っても、該山側の保護構造物を補強するための追加工事が不要な強度構造を備えることを特徴とする保護構造物。
【請求項２】
前記山側支持体は、前記道路の下部に埋設するフーチング部と、このフーチング部の山側に立設される壁部材とを備え、この壁部材の上に、前記山側屋根を構成する屋根部材が連結され、この屋根部材は、断面略Ｌ字型の板状部を有し、この板状部は、上下方向の壁板部と道路幅方向の屋根板部とを一体に備えることを特徴とする請求項１記載の保護構造物。
【請求項３】
前記山側支持体は、フーチング部と壁部とを一体に備える壁体と、この壁体のフーチング部に立設した柱部材と、これら柱部材の上に設ける梁部材とを備え、前記山側屋根は、複数のプレキャストコンクリート製主桁を道路の長さ方向に並べて形成されたことを特徴とする請求項１記載の保護構造物。
【請求項４】
前記山側支持体は、フーチング部と壁部とを一体に備える壁体と、この壁体と前記山側屋根の下面との間に設ける斜材とを備え、前記山側屋根は、複数のプレキャストコンクリート製主桁を道路の長さ方向に並べて形成されたことを特徴とする請求項１記載の保護構造物。
【発明の詳細な説明】
【技術分野】
【０００１】
本発明は、谷側が傾斜面をなす道路や鉄道軌道などの被保護物を屋根により保護する保護構造物に関する。
【背景技術】
【０００２】
一般に、この種の構造物は、屋根を支持体により支持して構成されており、鋼製とＰＣ，ＲＣによるコンクリート製のものなどが知られている。例えば、コンクリート製のシェッドは、複数のコンクリート製の主桁を、被保護物である道路又は軌道の長手方向に向う横締用ＰＣ鋼材により一体に緊結して屋根を形成し、この屋根の道路又は軌道幅方向の両側を柱または壁に剛結して構成されている（例えば特許文献１及び２）。また、この種の保護構造物であるコンクリート製キーパーは、複数のコンクリート製主桁を道路又は軌道長さ方向に向かう横締用ＰＣ鋼材により一体に緊結して屋根を形成し、この屋根を道路又は軌道方向に山側に斜めに設置して構成されており、この屋根の支持構造は、屋根を下部工と柱に定着するものや下部工と山の壁部とに定着するもの（例えば、特許文献３及び特許文献４）などがある。
【０００３】
そして、その主桁構造は断面Ｔ型のものや断面アーチ型のものなどが知られており、また、主桁の支持構造は主桁の両側を親柱と子柱で支持するもの、または、壁体である擁壁と親柱あるいは擁壁と擁壁とで支持するもの等種々のものが知られている。
【０００４】
ところで、雪崩や落石などの自然災害から屋根により保護しなければならない既設の狭小道路において、保護構造物を構築した後に道路の拡幅改良を行う場合、一般的に既設の保護構造物は、規格に適合できずに解体廃棄され、新規に拡幅断面を覆う保護構造物を構築しなければならず、無駄な建設費が嵩む事となる。
【特許文献１】実公平１−４８９５号公報
【特許文献２】特公平１−２７２２号公報
【特許文献３】実開昭６２−１９６２２０号公報
【特許文献３】特開平１−２４４００３号公報
【発明の開示】
【発明が解決しようとする課題】
【０００５】
そこで、本発明は、既設狭小道路の将来的な拡幅改良計画がある場合に、予め拡幅を考慮した保護構造物を念頭において設計された部材で当面の中間保護構造物を構築し、更に将来の拡幅の改良道路に対しても既設中間保護構造物と連結して保護構造物の完成断面を構築することができる山側の保護構造物を提供する事を目的とする。
【課題を解決するための手段】
【０００６】
請求項１の発明は、谷側が傾斜面をなす道路の山側に設けられた山側支持体と、この山側支持体により支持され前記道路の少なくとも一部を覆う片持ち梁状の山側屋根とを有する山側の保護構造物において、前記山側の保護構造物は、谷側部分の増設を行っても、該山側の保護構造物を補強するための追加工事が不要な強度構造を備えるものである。
【０００７】
また、請求項２の発明は、前記山側支持体は、前記道路の下部に埋設するフーチング部と、このフーチング部の山側に立設される壁部材とを備え、この壁部材の上に、前記山側屋根を構成する屋根部材が連結され、この屋根部材は、断面略Ｌ字型の板状部を有し、この板状部は、上下方向の壁板部と道路幅方向の屋根板部とを一体に備えるものである。
【０００８】
また、請求項３の発明は、前記山側支持体は、フーチング部と壁部とを一体に備える壁体と、この壁体のフーチング部に立設した柱部材と、これら柱部材の上に設ける梁部材とを備え、前記山側屋根は、複数のプレキャストコンクリート製主桁を道路の長さ方向に並べて形成されたものである。
【０００９】
また、請求項４の発明は、前記山側支持体は、フーチング部と壁部とを一体に備える壁体と、この壁体と前記山側屋根の下面との間に設ける斜材とを備え、前記山側屋根は、複数のプレキャストコンクリート製主桁を道路の長さ方向に並べて形成されたものである。
【発明の効果】
【００１０】
請求項１の構成によれば、被保護物の山側に山側支持体を設け、この山側支持体により山側屋根を支持した山側の保護構造物を構築し、既設の被保護物を保護する。そして、被保護物が道路であれば、山側屋根により雪崩・落石などから道路を保護できる。この後、被保護物の拡張が必要になったら、被保護物の拡張部分を形成し、被保護物が道路であれば、道路を拡幅すると共に、山側と谷側の屋根により保護することができる。
【００１１】
また、請求項２の構成によれば、上記構成の山側支持体と屋根部材により、山側保護構造物を構築できる。
【００１２】
また、請求項３の構成によれば、上記構成の山側支持体と屋根部材により、山側保護構造物を構築できる。
【００１３】
また、請求項４の構成によれば、上記構成の山側支持体と屋根部材により、山側保護構造物を構築できる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な保護構造物を採用することにより、従来にない保護構造物が得られ、その保護構造物について記述する。
【実施例１】
【００１５】
以下、本発明の実施例を添付図面を参照して説明する。図１〜図５は本発明の実施例１を示し、同図は、コンクリート製のシェッドである保護構造物１を用いた道路拡張構造を示し、被保護物たる既設の道路101は、山側Ｙの上向きの傾斜面102と谷側Ｔの下向きの傾斜面103との間に挟まれている。
【００１６】
図３は、保護構造物１の山側部分を構成する山側の保護構造物たる中間保護構造物２を示し、この中間保護構造物２は、道路101の山側に設ける山側支持体３と、この山側支持体３により支持され道路101の少なくとも一部を覆う片持ち梁状の山側屋根４とからなる。
【００１７】
前記山側支持体３は、道路101の下部に埋設するフーチング部５と、このフーチング部５の山側に立設される壁部材６とを備え、この壁部材６の上に、山側屋根４を構成する屋根部材７が連結される。
【００１８】
前記フーチング部５は、プレキャストコンクリート製品又は現場打ちコンクリートから形成され、この例では、道路（被保護物）長さ方向に所定長さを有するブロック状のプレキャストコンクリート製品が用いられ、その上面には、前記壁部材６のウエブ部８に対応して鉄筋９を突設している。
【００１９】
前記壁部材６は、プレキャストコンクリート製品からなり、その山側の平板部10の谷側外面中央に、上下方向の前記ウエブ部８を突出形成し、また、前記平板部10の谷側外面上端に横方向の上横梁部11を設け、この上横梁部11に、前記ウエブ部８の上端が連結され、そのウエブ部８の下端８Ｋは、平板部10の下端より上方に位置し、前記ウエブ部８の下端８Ｋから下方に向って鉄筋12が突設されている。
【００２０】
前記屋根部材７は、プレキャストコンクリート製品からなり、前記壁部材６と同一幅（道路長さ方向が同一）であり、前記平板部10に対応する断面略Ｌ字型の板状部15を有し、この板状部15は、上下方向の壁板部15Ａと道路幅方向の屋根板部15Ｂとを一体に備え、前記壁板部15Ａの下端に、前記壁部材６の上横梁部11に連結する下横梁部16を有し、さらに、前記屋根板部15Ｂの先端下面は、先端横梁部17を有し、それら横梁部16，17間で前記板状部15の幅方向中央にウエブ部18が設けられている。
【００２１】
また、前記壁部材６及び壁板部15Ａの背面（山側の面）と山側との間は、埋め戻し材により埋め戻され、下部には、埋め戻し材として現場打ちコンクリート21が充填され、この現場打ちコンクリート21の上には、埋め戻し材として発泡モルタル22が充填される。
【００２２】
次に、前記中間保護構造物２の施工方法について説明すると、既設の道路101の山側を掘削し、プレキャストコンクリート製品を道路長さ方向に複数並べると共に連結してフーチング部５を形成する。そのフーチング部５の山側に壁部材６を立設し、相互の鉄筋９，12を連結し、ウエブ部８の下部に型枠（図示せず）を組み、この型枠にコンクリートを打設して前記鉄筋９，12を埋設し、前記ウエブ部８に連続する現場打ちウエブ部８Ａを形成し、これにより、フーチング部５と壁部材６とを連結する。尚、平板部10の谷側面の下部も、現場打ちウエブ部８Ａに対応して、現場打ちコンクリートによりウエブ部８と同じ厚さに仕上げても良い。
【００２３】
さらに、その壁部材６の上横梁部11と、屋根部材７の下横梁部16とを、ボルトナットやアンカーなどの連結具（図示せず）により連結し、山側支持体３に屋根部材７を連結支持する。尚、掘削した道路101は、埋め戻して通行を確保する。このように中間構造物２を構築し、被保護物である道路101を開放して通行を確保した後、必要に応じて所定期間経過した後、谷側の増設部分の工事を行う。
【００２４】
また、土留壁となる山側支持体３の背面側は、現場打ちコンクリート21と発泡モルタル22により埋め戻す。このように中間保護構造物２の背面側上部を比較的軽量な発泡モルタルにより埋め戻すから、背面土圧を軽減することができ、また、道路101の下部に埋設され、壁部材６位置より谷側に突出したフーチング部５により、安定した構造が得られる。そして、また、本実施例の特徴として、中間保護構造物２は、保護構造物１が完成した状態で、必要な部材強度を予め備えている。すなわち、中間保護構造物２は構築された後、保護構造物１の谷側部分の増設を行っても、中間保護構造物２を補強するための追加工事が不要な強度構造を予め備える。
【００２５】
このように中間保護構造物２の施工が完了したら、道路101の上部の一部が屋根部材７に覆われ、雪崩や落石などから道路101を保護し、通行を確保することができる。
【００２６】
そして、所定の期間が過ぎるか、道路101の拡張が必要になったら、中間保護構造物２の谷側の工事を行い、すなわち増設工事を行い、保護構造物１を構築する。
【００２７】
保護構造物１の谷側は、前記傾斜面103に道路長さ方向に所定間隔で基礎杭31，31…を打設し、これら基礎杭31，31…の上に道路長さ方向に連続する基礎梁32を構築する。前記基礎杭31は鋼管杭やコンクリート杭など各種の杭が用いられ、前記基礎梁32は、プレキャストコンクリート製品を並べて形成したり、現場で型枠を組んでコンクリートを打設して形成される。
【００２８】
そして、前記基礎杭31と基礎梁32とにより谷側基礎33が構成され、谷側基礎33の施工が完了した後、谷側支持体と谷側屋根の施工を行う。
【００２９】
前記谷側支持体は、プレキャストコンクリート製の柱34であり、図２に示すように、道路長さ方向に所定間隔を置いて前記基礎梁32上に立設され、この例では、柱34の下部を前記基礎梁32に埋設固定している。また、前記基礎梁32の山側上部には、段部32Ａが形成されている。
【００３０】
また、谷側屋根41は、複数のプレキャストコンクリート製主桁42を、道路101の長さ方向に並べて形成され、その主桁42は、平板部43の下面両側で道路長さ方向の横梁部44，45を設けると共に、その下面の中央に前記横梁部44，45と交差するウエブ部46を設けてなる。そして、前記柱34の上部に前記ウエブ部46を載置し、柱34の上部と主桁42の谷側とをアンカー47により連結する。一方、主桁42の谷側は、その横梁部44と山側屋根４の先端横梁部17とを突き合せ、ウエブ部18とウエブ部46に挿通したＰＣ鋼材（図示せず）により屋根板部15Ｂと主桁42を一体化したり、アウトケーブル（図示せず）により屋根板部15Ｂと主桁42とを一体化したりし、これにより山側屋根４の谷側端に、谷側屋根41の山側端を連結する。尚、プレキャストコンクリート製品の主桁42は、前記壁部材６及び屋根部材７と同一幅（道路長さ方向が同一）である。
【００３１】
また、道路101の谷側の傾斜面103は基礎梁32の段部32Ａまで埋め戻して拡張部分101Ｋを形成し、既設の道路101と拡張部分101Ｋとは山側屋根４及び谷側屋根41により覆われる。
【００３２】
このように、山側の中間保護構造物２を先に構築し、残りの谷側を増設するようにして保護構造物１を構築するため、道路101の通行止め期間を短くし、通行を確保しつつ、保護構造物１を構築することができる。
【００３３】
そして、この種の既設の道路101は、幅員が狭く、迂回路を確保できない場合が多く、また、施工機械も小型の機械に制限される場合が多く、上部工をプレキャストコンクリート部材とし、軽量化を図り、交通規制区間の短縮と小型の施工機械を用いた屋根などの架設を行うことができる。
【００３４】
上記の構成によれば、既設の道路101の防災対策として、中間保護構造物２を構築し、当面の自然災害からの安全を確保することができ、また、時代の流れで道路101を拡幅する計画が将来計画としてあるような場合に、中間保護構造物２を拡幅できるように予め配慮した保護構造物１であるから、従来のように、既設の保護構造物を解体して新規に拡幅断面を覆う保護構造物を構築する場合に比べて、極めで無駄がなく、全体として建設費を抑えることができ、経済的効果に優れた保護構造物１となる。
【００３５】
このように本実施例では、請求項１に対応して、谷側Ｔが傾斜面103をなす被保護物たる道路101の山側Ｙに設けられた山側支持体３と、この山側支持体３により支持され道路101の少なくとも一部を覆う山側屋根４とを有する山側の保護構造物たる中間保護構造物２において、中間保護構造物２は、谷側部分の増設を行っても、該中間保護構造物２を補強するための追加工事が不要な強度構造を備えるから、中間保護構造物２は、保護構造物１が完成した状態で、必要な部材強度を予め備える。
【００３６】
また、このように本実施例では、請求項２に対応して、山側支持体３は、道路103の下部に埋設するフーチング部５と、このフーチング部５の山側に立設される壁部材６とを備え、この壁部材６の上に、山側屋根４を構成する屋根部材７が連結され、この屋根部材７は、断面略Ｌ字型の板状部15を有し、この板状部15は、上下方向の壁板部15Ａと道路幅方向の屋根板部15Ｂとを一体に備えるから、これら構成の山側支持体３と屋根屋根４により、山側の保護構造物２を構築できる。
【００３７】
以下、実施例上の効果として、このように本実施例では、谷側Ｔが傾斜面103をなす被保護物たる道路101の山側Ｙに設けられた山側支持体３と、この山側支持体３により支持され道路101の少なくとも一部を覆う山側屋根４とを有する中間保護構造物２と、傾斜面103に設けられた谷側基礎33と、この谷側基礎33上に設けられた谷側支持体たる柱34に支持されると共に、山側屋根４に連結する谷側屋根41と、この谷側屋根41により覆われた道路101の拡張部分101Ｋと、を備えるから、道路101の山側Ｙに山側支持体３を設け、この山側支持体３により山側屋根４を支持した中間保護構造物２を構築し、既設の道路101を保護することができる。そして、被保護物が道路101であれば、山側屋根４により雪崩・落石などから道路10を保護できる。この後、被保護物の拡張が必要になったら、谷側Ｔの傾斜面103に谷側基礎33を設け、この谷側基礎33上に柱34を設け、谷側屋根41を柱34により支持すると共に、既設の山側屋根４に連結して、保護構造物１を構築し、谷側屋根41に覆われた被保護物の拡張部分101Ｋを形成し、被保護物が道路101であれば、道路101を拡幅すると共に、山側と谷側の屋根４，41により保護することができる。
【００３８】
また、このように本実施例では、谷側Ｔが傾斜面103をなす被保護物たる道路の山側Ｙに設けられた山側支持体３と、この山側支持体３により支持され道路101の少なくとも一部を覆う山側屋根４とを有する中間保護構造物２を構築した後、傾斜面103に谷側基礎33を構築し、この谷側基礎33上に設けられた谷側支持体たる柱34と、この柱34により支持されると共に山側屋根４に連結する谷側屋根41を構築するから、中間保護構造物２を構築し、既設の道路101を保護し、道路101を使用できる。そして、道路101を拡張する時期がきたら、谷側基礎33，柱34及び山側屋根41を構築し、山側屋根41と谷側屋根４とが連続する保護構造物１を構築する。
【００３９】
このように、山側Ｙの工事を行った後、期間を置いて谷側Ｔの工事を行うことができ、通行止めの期間を短くして、工事期間中の通行を確保しつつ工事を行うことができる。また、谷側Ｔの工事においては、谷側屋根41の山側を既設の山側屋根４に連結するため、傾斜面103の谷側基礎33と柱34の施工が終わった後は、谷側屋根41の施工を簡便に行うことができる。
【００４０】
また、このように本実施例では、谷側屋根41に覆われる被保護物たる道路101の拡張部分101Ｋを形成するから、道路101を拡張して使用することができる。
【００４１】
また、壁部材６と屋根部材７とをプレキャストコンクリート製品としたから、現場でフーチング部５を形成し、このフーチング部５と壁部材６と屋根部材７を略コ字形に組み立てて、中間保護構造物２を簡便に構築することができる。また、フーチング部５と壁部材６とに鉄筋９，12を設け、これら鉄筋９，12を現場打ちコンクリートにより埋設することにより、両者を一体化できる。尚、壁部材６と屋根部材７とにＰＣ鋼材（図示せず）を挿通し、このＰＣ鋼材により両者を連結一体化してもよい。
【実施例２】
【００４２】
図６〜図８は本発明の実施例２を示し、上記各実施例と同一部分に同一符号を付し、その詳細な説明を省略して詳述すると、図６に示すように、この例の保護構造物１Ａでは、山側の保護構造物たる中間保護構造物２Ａの山側支持体３Ａは、フーチング部５Ａと壁部６Ａとを一体に備える壁体51と、この壁体51のフーチング部５Ａに立設した柱部材52，52…と、これら柱部材52，52…の上に設ける梁部材53とからなる。前記柱部材52は断面が方形又は円形であって、その上端面は平坦に形成され、また、前記梁部材53は断面略方形で、上，下面が平坦に形成され、前記柱部材52の上端面からアンカー52Ａが突設され、このアンカー52Ａを挿通する挿通孔53Ａが前記梁部材53に形成されている。また、前記壁体51の上面51Ａは平坦に形成されている。
【００４３】
また、山側屋根４Ａは、複数のプレキャストコンクリート製主桁62を道路101の長さ方向に並べて形成され、その主桁62は、平板部63の下面両側で道路長さ方向の横梁部64，65を設けると共に、その下面の中央に前記横梁部64，65と交差するウエブ部66を設けてなり、山側の前記横梁部64は道路幅員方向に幅広に形成されている。尚、プレキャストコンクリート製品の主桁42Ａは、前記主桁62と同一幅（道路長さ方向が同一）である。
【００４４】
そして、道路101の山側を掘削し、ここに前記壁体51の型枠を組み、この型枠内にコンクリートを打設し、壁体51を道路長さ方向に連続して構築し、そのフーチング部５Ａの上面に、プレキャストコンクリート製の前記柱部材52を立設する。この例では、柱部材52の下部を前記フーチング部５Ａに埋設固定している。
【００４５】
そして、図７に示すように、複数の柱部材52，52…を道路長さ方向に間隔を置いて立設したら、複数の柱部材52，52の上に、プレキャストコンクリート製の前記梁部材53を載置する。この場合、前記アンカー52Ａを挿通孔53Ａに挿通するようにして梁部材53を柱部材52，52上に載置する。また、隣り合う梁部材53，53の間には、調整隙間54を設ける。この調整隙間54を設けることにより、道路101の曲線部分において、隣り合う梁部材53，53の向きを変えて前記曲線部分に対応することができる。
【００４６】
梁部材53の施工が終わり、山側支持体３Ａが完成したら、山側屋根４Ａの施工を行う。山側屋根４Ａは、複数のプレキャストコンクリート製主桁62を道路101の長さ方向に並べて形成され、この際、各主桁62の山側下面を壁体51の上面51Ａに載置し、前記壁体51と主桁62とをＰＣ鋼材67により連結し、横梁部64の谷側下面を前記梁部材53の上に載置する。
【００４７】
こうして、中間保護構造物２Ａを構築し、道路101の拡張が必要になったら、谷側を増設し、保護構造物１Ａを完成させる。この例では、柱34Ａは断面が方形又は円形であって、前記柱部材52と略同一構成であり、その柱34Ａを道路長さ方向に所定間隔を置いて前記基礎梁32上に立設し、それら道路長さ方向に並んだ柱34Ａ，34Ａ…の上に、プレキャストコンクリート製の前記梁部材53を載置し、柱34Ａと梁部材53とを図示しない連結手段により連結する。また、隣り合う梁部材53，53の間には、調整隙間54を設ける。この調整隙間54を設けることにより、道路101の曲線部分において、隣り合う梁部材53，53の向きを変えて前記曲線部分に対応することができる。
【００４８】
また、谷側屋根41Ａは、複数のプレキャストコンクリート製主桁42Ａを、道路101の長さ方向に並べて形成され、その主桁42Ａは、平板部43Ａの下面両側で道路長さ方向の横梁部44Ａ，45Ａを設けると共に、その下面の中央に前記横梁部44Ａ，45Ａと交差するウエブ部46Ａを設けてなる。そして、前記梁部材53の上部に前記ウエブ部45Ａを載置し、柱34Ａの上部と主桁42Ａの谷側とをアンカー47Ａにより連結する。一方、主桁42Ａの谷側は、その横梁部44Ａと山側屋根４Ａの先端横梁部65とを突き合せ、ウエブ部66とウエブ部46Ａに挿通したＰＣ鋼材（図示せず）により主桁62Ａと主桁42Ａを一体化したり、アウトケーブル（図示せず）により主桁62Ａと主桁42Ａとを一体化したりし、これにより山側屋根４Ａの谷側端に、谷側屋根41Ａの山側端を連結する。
【００４９】
そして、図６に示すように、谷側屋根41Ａと山側屋根４Ａとは、そのウエブ部66とウエブ部46Ａの山側を厚く形成すると共にこれより谷側を薄く形成し、谷側から山側に向って徐々に厚くなるように形成されている。
【００５０】
このように本実施例においても、山側の保護構造物たる中間保護構造物２Ａを拡幅できるように予め配慮した保護構造物１Ａであるから、極めで無駄がなく、経済的効果に優れた保護構造物１Ａとなり、各請求項に対応して、上記実施例１と同様な作用・効果を奏する。
【００５１】
また、このように本実施例では、請求項３に対応して、山側支持体３Ａは、フーチング部５Ａと壁部６Ａとを一体に備える壁体51と、この壁体51のフーチング部５Ａに立設した柱部材52，52…と、これら柱部材52，52…の上に設ける梁部材53とを備え、山側屋根４Ａは、複数のプレキャストコンクリート製主桁62を道路101の長さ方向に並べて形成されたから、これら構成の山側支持体３Ａと屋根屋根４Ａにより、山側の保護構造物２Ａを構築できる。
【００５２】
また、実施例上の効果として、柱部材52，梁部材53及び主桁62をプレキャストコンクリート製としたから、壁体51の構築後、山側屋根４Ａを簡便に構築することができる。
【実施例３】
【００５３】
図９〜図１１は本発明の実施例３を示し、上記各実施例と同一部分に同一符号を付し、その詳細な説明を省略して詳述すると、図９に示すように、この例の保護構造物１Ｂでは、山側の保護構造物たる中間保護構造物２Ｂの山側支持体３Ｂは、フーチング部５Ｂと壁部６Ｂとを一体に備える壁体51Ａと、この壁体51Ａと山側屋根４Ｂの下面との間に設ける斜材71とからなる。尚、斜材71は、各主桁62Ａの１枚毎に１つ用いられる。
【００５４】
前記壁部６Ｂは、前面72が略垂で、その下端には、前記フーチング部５Ｂが谷側に僅かに張り出して設けられ、その前面72の上部に段部73を形成し、この段部73の上に、山側屋根４Ｂの端部を載置する段部状の載置面74が形成されている。また、前記壁体51Ａの背面75は斜めに形成され、この背面75と前面72との間隔が下方に向って狭まっている。
【００５５】
また、山側屋根４Ｂは、複数のプレキャストコンクリート製主桁62Ａを道路101の長さ方向に並べて形成され、その主桁62Ａは、平板部63Ａの下面両側に道路長さ方向の横梁部64Ａ，65Ａを設け、さらに、それら両側の横梁部64Ａ，65Ａの間に中間の横梁部67Ａを設け、その下面の中央に前記横梁部64Ａ，65Ａ，67Ａと交差するウエブ部66Ａを設け、このウエブ部66Ａの中央下部に、前記斜材71の受け面68Ａを設ける。尚、プレキャストコンクリート製品の主桁62Ａは、前記主桁42と同一幅（道路長さ方向が同一）である。
【００５６】
また、前記段部73はその角部を斜面76に形成し、この斜面76に前記斜材71の下端を挿入する挿入孔77を形成する。
【００５７】
そして、道路101の山側を掘削し、ここに前記壁体51Ａの型枠を組み、この型枠内にコンクリートを打設し、壁体51Ａを道路長さ方向に連続して構築し、その挿入孔77に斜材71の下端を挿入して必要に応じて固定する。
【００５８】
こうして山側支持体３Ｂが完成したら、山側屋根４Ｂの施工を行う。山側屋根４Ｂは、複数のプレキャストコンクリート製主桁62Ａを道路101の長さ方向に並べて形成され、この際、各主桁62Ａの山側下面を壁体51Ａの載置面74に載置し、また、斜材71の上端面を受け面68Ａに当接支持し、必要に応じて固定し、前記載置面74と主桁62Ａとをアンカー69により連結する。
【００５９】
こうして、中間保護構造物２Ｂを構築し、道路101の拡張が必要になったら、谷側を増設し、保護構造物１Ｂを完成させる。
【００６０】
また、谷側屋根41は、複数のプレキャストコンクリート製主桁42を、道路101の長さ方向に並べて形成され、その主桁42は、平板部43の下面両側で道路長さ方向の横梁部44，45を設けると共に、その下面の中央に前記横梁部44，45と交差するウエブ部46を設けてなる。そして、前記柱34の上部に前記ウエブ部46の下面を載置し、柱34の上部と主桁42の谷側とをアンカー47により連結する。一方、主桁42の谷側は、その横梁部44と山側屋根４Ｂの先端横梁部66Ａとを突き合せ、ウエブ部66Ａとウエブ部46に挿通したＰＣ鋼材（図示せず）により主桁62Ａと主桁42を一体化したり、アウトケーブル（図示せず）により屋根板部15Ｂと主桁42とを一体化したりし、これにより山側屋根４Ｂの谷側端に、谷側屋根41の山側端を連結する。
【００６１】
このように本実施例においても、山側の保護構造物たる中間保護構造物２Ｂを拡幅できるように予め配慮した保護構造物１Ｂであるから、極めで無駄がなく、経済的効果に優れた保護構造物１Ａとなり、各請求項に対応して、上記実施例１と同様な作用・効果を奏する。
【００６２】
また、このように本実施例では、請求項４に対応して、山側支持体３Ｂは、フーチング部５Ｂと壁部６Ｂとを一体に備える壁体51Ａと、この壁体51Ａと山側屋根４Ｂの下面との間に設ける斜材71とを備え、山側屋根４Ｂは、複数のプレキャストコンクリート製主桁62Ａを道路101の長さ方向に並べて形成されたから、これら構成の山側支持体３Ｂと屋根屋根４Ｂにより、山側の保護構造物２Ｂを構築できる。
【００６３】
また、実施例上の効果として、壁体51Ａと主桁62Ａとの間に、該主桁62Ａの載置面74より谷側を支持する斜材71を設けることにより、壁体51Ａを比較的小型化することができ、現場での掘削及び型枠作業を簡略化できる。
【００６４】
なお、本発明は、前記実施例に限定されるものではなく、種々の変形実施が可能である。例えば、山側支持体，谷側支持体，山側基礎及び谷側基礎は各種の構造を用いることができる。
【図面の簡単な説明】
【００６５】
【図１】本発明の実施例１を示す保護構造物の断面図である。
【図２】同上、保護構造物の側面図である。
【図３】同上、中間保護構造物の断面図である。
【図４】同上、中間保護構造物を分割した断面図である。
【図５】同上、図４のＡ−Ａ線断面図である。
【図６】本発明の実施例２を示す保護構造物の断面図である。
【図７】同上、保護構造物の側面図である。
【図８】同上、中間保護構造物の断面図である。
【図９】本発明の実施例１を示す保護構造物の断面図である。
【図１０】同上、保護構造物の側面図である。
【図１１】同上、中間保護構造物の断面図である。
【符号の説明】
【００６６】
１，１Ａ，１Ｂ  保護構造物（シェッド）
２，２Ａ，２Ｂ  中間保護構造物（山側の保護構造物）
３，３Ａ，３Ｂ  山側支持体
４，４Ａ，４Ｂ  山側屋根
５Ａ  フーチング部
６  壁部材
７  屋根部材
15  板状部
15Ａ  壁板部
15Ｂ  屋根板部
33  谷側基礎
34，34Ａ  柱（谷側支持体）
41，41Ａ  谷側屋根
51Ａ  壁板
52  柱部材
53  梁部材
62，62Ａ  主桁
71  斜材
101  道路（被保護物）
101Ｋ  拡張部分
103  傾斜面
Ｙ  山側0
Ｔ  谷側
【図１】
2008095496.tif 000003
【図２】
2008095496.tif 000004
【図３】
2008095496.tif 000005
【図４】
2008095496.tif 000006
【図５】
2008095496.tif 000007
【図６】
2008095496.tif 000008
【図７】
2008095496.tif 000009
【図８】
2008095496.tif 000010
【図９】
2008095496.tif 000011
【図１０】
2008095496.tif 000012
【図１１】
2008095496.tif 000013